(57)【要約】      （修正有）【課題】高精度の切断作業を容易に実行でき、また、調整弁の操作性が良好なポータブル切断機を提供する。【解決手段】ポータブル切断機１は、Ｙ方向の下部軌条３上をＹ方向に移動可能に配置される移動制御箱４と、一端側から他端側にわたって燃料ガス、酸素ガスからなる２系統のガス用の流体管路を内蔵したＸ方向スライドアーム５と、Ｘ方向スライドアーム５の他端側に配置され、燃料ガス、酸素ガスからなる２系統のガス及び切断酸素ガスの合計３系統のガス供給配管を行う３個の調整弁付きのガス供給配管部１１と、Ｘ方向スライドアーム５の他端側において支持され、Ｘ、Ｙ方向に移動可能な対象物切断用の切断トーチ１２と、ガス供給配管部１１と切断トーチ１２との間に配管した３系統のガス供給用のパイプ群と、ガス供給配管部１１における２系統のガス用の各調整弁８、９の両操作片に装着され、これらを同時に調整操作する弁操作部材とを有する構成とした。【選択図】図１
0003149110.tif 000002
【実用新案登録請求の範囲】
【請求項１】
Ｙ方向に配置した下部軌条上を移動機構部によりＹ方向に移動可能に配置される切断操作・制御を行う移動制御箱と、
前記移動制御箱をＸ方向に貫通し、かつ、移動制御箱に対して移動機構部によりＸ方向に移動可能に取り付けられるとともに、一端側から他端側にわたって燃料ガス、酸素ガスからなる２系統のガス用の流体管路を内蔵したＸ方向スライドアームと、
前記Ｘ方向スライドアームの他端側に配置され、燃料ガス、酸素ガスからなる２系統のガス及び切断酸素ガスの合計３系統のガスを切断トーチに向けて供給するためのガス供給配管部と、
前記Ｘ方向スライドアームの他端側において支持されるとともに、Ｘ、Ｙ方向に移動可能な対象物切断用の切断トーチと、
前記ガス供給配管部と切断トーチとの間に配管した３系統のガス供給用のパイプ群と、
前記２系統のガス用の配管路のいずれかの位置に配置する２個の調整弁の両操作片に装着され、これらを同時に調整操作する弁操作部材と、
を有することを特徴とするポータブル切断機。
【請求項２】
Ｙ方向に配置した下部軌条上を移動機構部によりＹ方向に移動可能に配置される切断操作・制御を行う移動制御箱と、
前記移動制御箱をＸ方向に貫通し、かつ、移動制御箱に対して移動機構部によりＸ方向に移動可能に取り付けられるとともに、一端側から他端側にわたって燃料ガス、酸素ガスからなる２系統のガス用の流体管路を内蔵したＸ方向スライドアームと、
前記Ｘ方向スライドアームの他端側に配置され、燃料ガス、酸素ガスからなる２系統のガス及び切断酸素ガスの合計３系統のガス供給配管を行う３個の調整弁付きのガス供給配管部と、
前記Ｘ方向スライドアームの他端側において支持されるとともに、Ｘ、Ｙ方向に移動可能な対象物切断用の切断トーチと、
前記ガス供給配管部と切断トーチとの間に配管した３系統のガス供給用のパイプ群と、
前記ガス供給配管部における２系統のガス用の各調整弁の両操作片に装着され、これらを同時に調整操作する弁操作部材と、
を有することを特徴とするポータブル切断機。
【請求項３】
Ｙ方向に配置した下部軌条上を移動機構部によりＹ方向に移動可能に配置される切断操作・制御を行う移動制御箱と、
前記移動制御箱をＸ方向に貫通し、かつ、移動制御箱に対して移動機構部によりＸ方向に移動可能に取り付けられるとともに、一端側から他端側にわたって燃料ガス、酸素ガスからなる２系統のガス用の流体管路を内蔵し、該２系統の流体管路の手前に２系統のガスの調整弁を配置した一端側ガス供給配管部を備えたＸ方向スライドアームと、
前記Ｘ方向スライドアームの他端側に配置され、燃料ガス、酸素ガスからなる２系統のガス及び切断酸素ガスの合計３系統のガス供給配管を行う他端側ガス供給配管部と、
前記Ｘ方向スライドアームの他端側において支持されるとともに、Ｘ、Ｙ方向に移動可能な対象物切断用の切断トーチと、
前記ガス供給配管部と切断トーチとの間に配管した３系統のガス供給用のパイプ群と、
前記一端側ガス供給配管部の２系統のガス用の調整弁における両操作片に装着され、これらを同時に調整操作する弁操作部材と、
を有することを特徴とするポータブル切断機。
【考案の詳細な説明】
【技術分野】
【０００１】
本考案は、燃料ガス及び酸素ガスを燃焼させながら切断酸素ガスを噴出して切断対象物の切断加工を行うポータブル切断機に関するものである。
【背景技術】
【０００２】
従来、この種のポータブルガス切断機としては、例えば、オペレータが切断トーチを手動操作して切断対象物の切断加工を行うハンディタイプのガス切断機が知られているが、このようなガス切断機の場合、高度の熟練技術を取得したオペレータでなければ切断対象物を高精度に切断加工することは難しい。
【０００３】
特許文献１には、レール部材に沿って移動可能に設けたキャリッジにガス切断トーチが搭載され、レール部材の端部にはガス切断トーチに接続されたガス分配器が設けられ、該ガス分配器により分配される燃料ガスを供給する燃料ガス供給ホース、予熱用酸素ガスを供給する予熱酸素供給ホース及び切断用酸素ガスを供給する切断酸素供給ホースがガス切断トーチに接続された構成のガス切断装置が開示されている。
【０００４】
このガス切断装置の場合、ガス切断トーチがキャリッジの方向に移動可能ではあるもののガス切断装置の動作を制御する操作手段は別の位置に配置されてものと推定される。
このため、特に切断箇所が長尺の寸法であるような場合、オペレータがガス切断トーチからのガスの噴出状態や切断箇所の切断状態を間近に見ながら操作手段から所要の操作を実行することは困難である。
【０００５】
また、このガス切断装置の場合、ガス切断トーチに供給するする燃料ガス、酸素ガスを調整するための調整弁を個別に操作しなければならず、これらの操作が煩雑である。
【特許文献１】特開２００７−６１９００号公報
【考案の開示】
【考案が解決しようとする課題】
【０００６】
本考案が解決しようとする問題点は、オペレータがガス切断トーチからのガスの噴出状態や切断箇所の切断状態を間近に見ながら高精度の切断作業を行うための所要の操作を実行でき、燃料ガス、酸素ガスを調整するための調整弁の操作性が極めて良好であるようなポータブル切断機が存在しない点である。
【課題を解決するための手段】
【０００７】
本考案に係るポータブル切断機は、Ｙ方向に配置した下部軌条上を移動機構部によりＹ方向に移動可能に配置される切断操作・制御を行う移動制御箱と、前記移動制御箱をＸ方向に貫通し、かつ、移動制御箱に対して移動機構部によりＸ方向に移動可能に取り付けられるとともに、一端側から他端側にわたって燃料ガス、酸素ガスからなる２系統のガス用の流体管路を内蔵したＸ方向スライドアームと、前記Ｘ方向スライドアームの他端側に配置され、燃料ガス、酸素ガスからなる２系統のガス及び切断酸素ガスの合計３系統のガスを切断トーチに向けて供給するためのガス供給配管部と、前記Ｘ方向スライドアームの他端側において支持されるとともに、Ｘ、Ｙ方向に移動可能な対象物切断用の切断トーチと、前記ガス供給配管部と切断トーチとの間に配管した３系統のガス供給用のパイプ群と、前記２系統のガス用の配管路のいずれかの位置に配置する２個の調整弁の両操作片に装着され、これらを同時に調整操作する弁操作部材と、を有することを最も主要な特徴とする。
【考案の効果】
【０００８】
請求項１記載の考案によれば、移動制御箱の近くに位置した状態でガス切断トーチからのガスの噴出状態や切断対象物における切断箇所の切断状態を間近に見ながら移動制御箱に設けたボタン類、キー類等を操作して、切断対象物に対する高精度の切断作業を行うための操作を実行することができ、また、両調整弁の同時操作が可能で燃料ガス、酸素ガスの流通、遮断、流量調整等の各操作を同時に、かつ、簡略容易に実行することができ、操作性が極めて良好なポータブル切断機を提供することができる。
【０００９】
請求項２記載の考案によれば、移動制御箱の近くに位置した状態でガス切断トーチからのガスの噴出状態や切断対象物における切断箇所の切断状態を間近に見ながら移動制御箱に設けたボタン類、キー類等を操作して、切断対象物に対する高精度の切断作業を行うための操作を実行することができ、また、Ｘ方向スライドレールの他端側にて両調整弁の同時操作が可能で燃料ガス、酸素ガスの流通、遮断、流量調整等の各操作を同時に、かつ、簡略容易に実行することができ、操作性が極めて良好なポータブル切断機を提供することができる。
【００１０】
請求項３記載の考案によれば、移動制御箱の近くに位置した状態でガス切断トーチからのガスの噴出状態や切断対象物における切断箇所の切断状態を間近に見ながら移動制御箱に設けたボタン類、キー類等を操作して、切断対象物に対する高精度の切断作業を行うための操作を実行することができ、また、Ｘ方向スライドレールの一端側にて両調整弁の同時操作が可能で燃料ガス、酸素ガスの流通、遮断、流量調整等の各操作を同時に、かつ、簡略容易に実行することができ、操作性が極めて良好なポータブル切断機を提供することができる。
【考案を実施するための最良の形態】
【００１１】
本考案は、オペレータがガス切断トーチからのガスの噴出状態や切断箇所の切断状態を間近に見ながら高精度の切断作業を行うための所要の操作を実行でき、また、燃料ガス、酸素ガスを調整するための調整弁の操作性が極めて良好なポータブル切断機を提供するという目的を有するものである。
【００１２】
本考案は、Ｙ方向に配置した下部軌条上を移動機構部によりＹ方向に移動可能に配置される切断操作・制御を行う移動制御箱と、前記移動制御箱をＸ方向に貫通し、かつ、移動制御箱に対して移動機構部によりＸ方向に移動可能に取り付けられるとともに、一端側から他端側にわたって燃料ガス、酸素ガスからなる２系統のガス用の流体管路を内蔵したＸ方向スライドアームと、前記Ｘ方向スライドアームの他端側に配置され、燃料ガス、酸素ガスからなる２系統のガス及び切断酸素ガスの合計３系統のガス供給配管を行う３個の調整弁付きのガス供給配管部と、前記Ｘ方向スライドアームの他端側において支持されるとともに、Ｘ、Ｙ方向に移動可能な対象物切断用の切断トーチと、前記ガス供給配管部と切断トーチとの間に配管した３系統のガス供給用のパイプ群と、前記ガス供給配管部における２系統のガス用の各調整弁の両操作片に装着され、これらを同時に調整操作する弁操作部材と、を有するポータブル切断機の構成により上記目的を実現した。
【実施例】
【００１３】
以下に、本考案の実施例に係るポータブル切断機について図１乃至図５を参照して詳細に説明する。
本実施例に係るポータブル切断機１は、図１に示すように、一対の基台２上においてＹ方向に配置した下部軌条３上を移動機構部によりＹ方向に移動可能に配置した切断操作・制御を行う箱型状の移動制御箱（コントロールボックス）４と、前記移動制御箱４をＸ方向に貫通し、かつ、移動制御箱４に対して移動機構部によりＸ方向に移動可能に取り付けられるとともに、一端側から他端側にわたって燃料ガス、酸素ガスからなる２系統のガス用の流体管路６、７を内蔵したＸ方向スライドアーム５と、前記Ｘ方向スライドアーム５の他端側に配置され、燃料ガス、酸素ガスからなる２系統のガス及び切断酸素ガスの合計３系統のガス供給配管を行う３個の調整弁８、９、１０付きのガス供給配管部１１（図１には概略的に示す）と、前記Ｘ方向スライドアーム５の他端側において支持されるとともに、Ｘ、Ｙ方向に移動可能な対象物切断用の切断トーチ１２と、前記ガス供給配管部１１と切断トーチ１２との間に配管した３系統のガス供給用のパイプ１３、１４、１５からなるパイプ群と、前記ガス供給配管部１１における２系統のガス用の各調整弁８、９の両操作片８ａ、９ａに装着され、これらを同時に調整操作する図２に示すような弁操作部材１６と、を有している。
【００１４】
前記移動制御箱４は、下部軌条３に対して公知のラックピニオン機構部により結合され、この下部軌条３上をＹ＋方向、Ｙ−方向に移動可能に構成している。
【００１５】
すなわち、前記下部軌条３の両側面にはラック部１７が設けられ、また、前記移動制御箱４の下部から下方に向けて一対の下側支持体４ａが突設されて、この一対の下側支持体４ａの下部軌条３側に向けて対向配置した図示しないが一対のピニオンを前記両ラック部１７に各々噛合させることで、前記移動制御箱４を下部軌条３に跨設する状態で、Ｙ＋方向、Ｙ−方向に移動可能に構成している。
【００１６】
前記Ｘ方向スライドアーム５は、前記移動制御箱４に対して移動機構部である公知のラックピニオン機構部により結合され、前記移動制御箱４を貫通する状態でＸ＋方向、Ｘ−方向に移動可能に構成している。
【００１７】
すなわち、Ｘ方向スライドアーム５の両側面には、その長さ方向に沿って一対のラック部１８が設けられ、また、前記移動制御箱４内に配置した図示しないが一対のピニオンを前記両ラック部１８に各々噛合させることで、前記Ｘ方向スライドアーム５移動制御箱４を貫通する状態でＸ＋方向、Ｘ−方向に移動可能に構成している。
【００１８】
なお、前記下側支持体４ａに配置したピニオン、前記移動制御箱４内に配置したピニオンの回転駆動系については後述する。
【００１９】
前記ガス供給配管部１１は、図２に拡大して示すように、前記Ｘ方向スライドアーム５の他端側に配置した略直方体状の基体部１９と、この基体部１９に取り付けた３個の調整弁８、９、１０とを有している。
【００２０】
前記調整弁８、９は、例えばトグル弁により、また、前記調整弁１０は、電磁弁により各々構成している。
【００２１】
前記調整弁８、９には、２系統のガス用の流体管路６、７から基体部１９に設けた２個の孔部２０、２１を経て燃料ガス、酸素ガスを流入するように構成している。
【００２２】
また、前記調整弁８、９の吐出側に前記パイプ１３、１４の一端を接続するように構成している。
【００２３】
前記調整弁１０には、別途切断酸素ガスを供給するとともに、その吐出側に前記パイプ１５の一端を接続するように構成している。
【００２４】
そして、３系統のガス供給用のパイプ１３、１４、１５の他端を切断トーチ１２に接続し、切断トーチ１２の先端から切断酸素ガスを噴射し、鋼板等の切断対象物Ｍの切断加工を行うようになっている。
【００２５】
前記切断トーチ１２は、Ｘ方向スライドアーム５の他端側において公知の連結具２２を介して支持され、これにより、切断トーチ１２は、Ｘ方向スライドアーム５に連動してＸ＋方向、Ｘ−方向に移動可能であり、また、前記移動制御箱４のＹ＋方向、Ｙ−方向の移動に連動してＹ＋方向、Ｙ−方向に移動可能となっている。
【００２６】
前記２系統のガス用の各調整弁８、９における弁開閉操作用の両操作片８ａ、９ａには、図２、図３に示すように、これら操作片８ａ、９ａを同時に調整操作する弁操作部材１６が装着されている。
【００２７】
すなわち、前記調整弁８、９は、基体部１９に並列配置に取り付けられて、操作片８ａ、９ａが同方向に突出する構造となっており、前記弁操作部材１６の基部１６ａに設けた一対の穴１６ｂに前記操作片８ａ、９ａを同時に嵌め込むように構成している。
【００２８】
そして、オペレータが基部１６ａと一体の摘まみ部１６ｃを操作することで、両操作片８ａ、９ａを同時に変位させ、例えば、両調整弁８、９を図２上欄に示す開状態、図２下欄に示す閉状態のように調整し、両調整弁８、９における燃料ガス、酸素ガスの流通、遮断、流量調整等の各操作を同時に、かつ、簡略容易に実行し得るようになっている。
【００２９】
図４は、前記移動制御箱４の前面に設けた操作パネル３０を示すものである。この操作パネル３０には、液晶ディスプレイ（LCD Display）３１、ファンクションキー（Function Keys）３２、インプット／コマンドキー（Input/Command Keys）３３、スタートボタン３４、ストップ／停止ボタン３５が配置されている。
【００３０】
また、前記操作パネル３０の下側の壁面には、非常停止ボタン３６、電源ボタン３７が配置されている。
【００３１】
図５は、本実施例に係るポータブル切断機１における前記移動制御箱４に内蔵された制御系の主要部を示すもので、この制御系は、全体の制御を行う制御部４１、動作プログラムを格納したＲＯＭ４２を有し、制御部４１により前記下側支持体４ａに配置したピニオンを回転駆動するＹ方向駆動モータ４３、前記移動制御箱４内に配置したピニオンを回転駆動するＸ方向駆動モータ４４を制御するように構成している。
【００３２】
また、前記制御部４１により操作パネル３０の各要素の動作制御を行い、更に、前記非常停止ボタン３６、電源ボタン３７のボタン操作に応じた動作を実行するように構成している。
【００３３】
本実施例に係るポータブル切断機１によれば、切断トーチ１２を、Ｘ方向スライドアーム５に連動してＸ＋方向、Ｘ−方向に移動可能に、また、前記移動制御箱４のＹ＋方向、Ｙ−方向の移動に連動してＹ＋方向、Ｙ−方向に移動可能に構成している。
【００３４】
したがって、このポータブル切断機１のオペレータは、移動制御箱４の近くに位置した状態で切断トーチ１２からのガスの噴出状態や切断対象物Ｍにおける切断箇所の切断状態を間近に見ながらまた液晶ディスプレイ３１の表示情報を確認しながら移動制御箱４に設けたボタン類、キー類等を操作して、切断対象物Ｍに対する高精度の切断作業を行うための操作を実行することができる。
【００３５】
また、ポータブル切断機１による切断作業中において、オペレータが必要に応じて弁操作部材１６の摘まみ部１６ｃを操作することで、両調整弁８、９における燃料ガス、酸素ガスの流通、遮断、流量調整等の各操作を同時に、かつ、簡略容易に実行することができ、両調整弁８、９に関する操作性が極めて良好なポータブル切断機１を実現することができる。
【００３６】
次に、図６を参照して本実施例に係るポータブル切断機１の変型例について説明する。
【００３７】
この変型例の基本的構成は上述した実施例と同様であるため、図６には特徴部分のみを示している。
【００３８】
この変型例においては、前記Ｘ方向スライドアーム５に内蔵した２系統の流体管路６、７の一端側に、一端側ガス供給配管部５１を配置し、この一端側ガス供給配管部５１に既述した場合と同様、燃料ガス、酸素ガス用の２系統のガスの調整弁８、９を取り付けたこと、及び、前記Ｘ方向スライドアーム５の他端側には、他端側ガス供給配管部５２を配置し、この他端側ガス供給配管部５２により、既述した場合と同様、燃料ガス、酸素ガスからなる２系統のガス及び切断酸素ガスの合計３系統のガス供給配管を行うようにしたこと、更に、既述した場合と同様、前記一端側ガス供給配管部５１に設けた両調整弁８、９における両操作片８ａ、９ａに、既述した場合と同様、これらを同時に調整操作する弁操作部材１６を装着したことが特徴である。
【００３９】
この他の構成は上述した実施例の場合と同様である。
【００４０】
図６に示す変型例によっても、上述した場合と同様に切断対象物Ｍに対する高精度の切断作業を行うための操作を容易に実行することができるとともに、前記Ｘ方向スライドアーム５の一端側において、オペレータが必要に応じて弁操作部材１６の摘まみ部１６ｃを操作することで、両調整弁８、９における燃料ガス、酸素ガスの流通、遮断、流量調整等の各操作を同時に、かつ、簡略容易に実行することができ、両調整弁８、９に関する操作性が極めて良好となる。
【産業上の利用可能性】
【００４１】
本考案は、上述したガス切断機に適用する場合の他、切断対象物に対してプラズマを噴射しプラズマ切断を行うプラズマ切断機にも応用可能である。
【図面の簡単な説明】
【００４２】
【図１】本考案の実施例に係るポータブル切断機の全体構成を示す概略斜視図である。
【図２】本実施例に係るポータブル切断機における２系統の調整弁及び弁操作部材の拡大斜視図である。
【図３】本実施例に係るポータブル切断機における弁操作部材の拡大斜視図である。
【図４】本実施例に係るポータブル切断機における操作パネルの正面図である。
【図５】本実施例に係るポータブル切断機における制御系を示すブロック図である。
【図６】本実施例に係るポータブル切断機の変型例の要部のみを示す概略斜視図である。
【符号の説明】
【００４３】
１    ポータブル切断機
２    基台
３    下部軌条
４    移動制御箱
４ａ  下側支持体
５    Ｘ方向スライドアーム
６    流体管路
７    流体管路
８    調整弁
８ａ  操作片
９    調整弁
９ａ  操作片
１０    調整弁
１１    ガス供給配管部
１２    切断トーチ
１３    パイプ
１４    パイプ
１５    パイプ
１６    弁操作部材
１６ａ  基部
１６ｂ  穴
１６ｃ  摘まみ部
１７    ラック部
１８    ラック部
１９    基体部
２０    孔部
２１    孔部
２２    連結具
３０    操作パネル
３１    液晶ディスプレイ
３２    ファンクションキー
３３    インプット／コマンドキー
３４    スタートボタン
３５    ストップ／停止ボタン
３６    非常停止ボタン
３７    電源ボタン
４１    制御部
４２    ＲＯＭ
４３    Ｙ方向駆動モータ
４４    Ｘ方向駆動モータ
５１    一端側ガス供給配管部
５２    他端側ガス供給配管部
Ｍ    切断対象物
【図１】
0003149110.tif 000003
【図２】
0003149110.tif 000004
【図３】
0003149110.tif 000005
【図４】
0003149110.tif 000006
【図５】
0003149110.tif 000007
【図６】
0003149110.tif 000008